(57)【要約】【課題】横方向防振装置の振動吸収機能を、振動が大きくなる傾向がある水槽の下部に効果的に作用させることができる洗濯機を提供する。【解決手段】本実施形態に係る洗濯機は、筐体と、前記筐体内に設けられる水槽と、前記水槽内に設けられる回転槽と、前記水槽の縦方向の振動を吸収する縦方向防振装置と、前記水槽の横方向の振動を吸収する横方向防振装置と、を備え、前記横方向防振装置の一端部は、前記筐体の下部に取り付けられている。【選択図】図１
2018126252.tif 000002
【特許請求の範囲】
【請求項１】
筐体と、
前記筐体内に設けられる水槽と、
前記水槽内に設けられる回転槽と、
前記水槽の縦方向の振動を吸収する縦方向防振装置と、
前記水槽の横方向の振動を吸収する横方向防振装置と、
を備え、
前記横方向防振装置の一端部は、前記筐体の下部に取り付けられている洗濯機。
【請求項２】
前記横方向防振装置の他端部は、前記水槽の下部に取り付けられている請求項１に記載の洗濯機。
【請求項３】
前記横方向防振装置の他端部は、前記水槽の底部に取り付けられている請求項２に記載の洗濯機。
【請求項４】
前記横方向防振装置の他端部は、前記水槽の底部に備えられる支持部材に取り付けられている請求項３に記載の洗濯機。
【請求項５】
前記横方向防振装置の他端部は、前記水槽の底部に備えられる包装金具に取り付けられている請求項３に記載の洗濯機。
【請求項６】
前記横方向防振装置の他端部は、前記筐体の底部を構成する台板に取り付けられている請求項３に記載の洗濯機。
【請求項７】
前記横方向防振装置は、前記筐体のコーナー部に設けられている請求項１から６の何れか１項に記載の洗濯機。
【請求項８】
前記横方向防振装置は、前記水槽の径方向に対し、前記回転槽の回転方向側に傾斜している請求項１から７の何れか１項に記載の洗濯機。
【発明の詳細な説明】
【技術分野】
【０００１】
本発明の実施形態は、洗濯機に関する。
【背景技術】
【０００２】
回転槽の回転軸が縦方向に延びる、いわゆる縦軸型の洗濯機は、回転槽を回転可能に収容する水槽を、弾性吊持機構によって吊り下げるようにして弾性的に支持する構成となっている。このような弾性吊持機構は、主として水槽の縦方向の振動を吸収するものであり、つまり、縦方向防振装置として機能する。
【０００３】
ところで、このような縦方向防振装置によれば、水槽の縦方向の振動は効果的に吸収できるものの、水槽の横方向の振動は殆ど吸収できない。そこで、近年では、例えば特許文献１，２に開示されているように、水槽の横方向の振動を吸収する横方向防振装置を備える洗濯機が考えられている。
【先行技術文献】
【特許文献】
【０００４】
【特許文献１】特開２０１５−２２３２８４号公報
【特許文献２】特開昭６３−１０２７９３号公報
【発明の概要】
【発明が解決しようとする課題】
【０００５】
いわゆる縦軸型の洗濯機において、水槽の下方には、回転槽やパルセータを回転させるための駆動機構部が設けられている。このような駆動機構部は、モータやクラッチなどを備える重量物である。そのため、水槽は、上部に比べ下部の方が重くなり、これにより、より重い下部の方が上部に比べ振動が大きくなる傾向がある。このような傾向が認められる縦軸型の洗濯機において、特許文献１，２は、何れも、横方向防振装置を、水槽の上部つまり発生する振動が比較的小さい部分に取り付けた構成となっている。そのため、横方向防振装置の振動吸収機能を、振動が大きくなる傾向がある水槽の下部に効果的に作用させることができない。
【０００６】
そこで、横方向防振装置の振動吸収機能を、振動が大きくなる傾向がある水槽の下部に効果的に作用させることができる洗濯機を提供する。
【課題を解決するための手段】
【０００７】
本実施形態に係る洗濯機は、筐体、水槽、回転槽、縦方向防振装置、横方向防振装置を備える。水槽は、前記筐体内に設けられている。回転槽は、前記水槽内に設けられている。縦方向防振装置は、前記水槽の縦方向の振動を吸収する。横方向防振装置は、前記水槽の横方向の振動を吸収する。そして、前記横方向防振装置の一端部は、前記筐体の下部に取り付けられている。
【図面の簡単な説明】
【０００８】
【図１】第１実施形態に係る洗濯機の構成例を概略的に示す縦断側面図
【図２】横方向防振装置の構成例を概略的に示す縦断側面図
【図３】第２実施形態に係る洗濯機の構成例を概略的に示す縦断側面図
【図４】第３実施形態に係る洗濯機の構成例を概略的に示す縦断側面図
【図５】第４実施形態に係る洗濯機の構成例を概略的に示す横断平面図
【図６】第５実施形態に係る洗濯機の構成例を概略的に示す横断平面図
【発明を実施するための形態】
【０００９】
以下、洗濯機に係る複数の実施形態について図面を参照しながら説明する。なお、各実施形態において実質的に同一の要素には同一の符号を付し、説明を省略する。
（第１実施形態）
図１に例示する洗濯機１０は、回転槽の回転軸が縦方向に延びる、いわゆる縦軸型の洗濯機であり、その外郭を構成する中空箱状の筐体１１の内部に、水槽１２および回転槽１３を備えている。筐体１１の上部は、トップカバー１４により構成されている。また、筐体１１の底部は、台板１５により構成されている。トップカバー１４は、中央部に洗濯物出入用の開口部１６を備えている。また、トップカバー１４は、開口部１６を開閉する蓋１６ａを回動可能に備えている。蓋１６ａの回動軸は、開口部１６の後部において筐体１１の左右方向に沿って延びている。なお、蓋１６ａは、いわゆる２つ折り式の蓋であってもよいし、折り畳み不能な１枚の板からなる蓋であってもよい。
【００１０】
水槽１２は、水を溜めることが可能な有底円筒状をなしており、筐体１１の内部において弾性支持機構部１７により弾性的に支持されている。この場合、水槽１２は、矩形箱状の筐体１１内の４つのコーナー部において、４つの弾性支持機構部１７により吊り下げられるようにして支持されている。弾性支持機構部１７は、縦方向防振装置の一例であり、主として水槽１２の縦方向の振動を吸収する。弾性支持機構部１７は、上端部が筐体１１の内面の上部に取り付けられ、下端部が水槽１２の外面の下部に取り付けられている。
【００１１】
回転槽１３は、洗濯物を収容可能な有底円筒状をなしており、水槽１２の内部において回転可能に設けられている。回転槽１３の回転軸は、洗濯機１０の上下方向に延びる縦軸である。回転槽１３は、洗濯物を洗う洗い行程および洗濯物をすすぐすすぎ行程における洗濯槽、および、洗濯物を脱水する脱水行程における脱水槽として兼用される。回転槽１３の内部の底部には、パルセータ１８が回転可能に設けられている。
【００１２】
水槽１２の下方の中央部には駆動機構部１９が設けられている。駆動機構部１９は、可変速駆動が可能なモータ、クラッチ機構、ブレーキ装置などを備えている。洗い行程時またはすすぎ行程時においては、駆動機構部１９は、モータの回転力を、クラッチ機構によってパルセータ１８に伝達する。脱水行程時においては、駆動機構部１９は、モータの回転力を、クラッチ機構によって回転槽１３およびパルセータ１８に高速で伝達する。
【００１３】
筐体１１の内部には、図示しない給水弁などを備える給水機構部２０が設けられている。水槽１２の内部には、この給水機構部２０から供給される水が貯留される。また、筐体１１の内部には、排水弁２１ａなどを備える排水機構部２１が設けられている。水槽１２内の水は、この排水機構部２１により機外に排水される。
【００１４】
洗濯機１０は、さらに、横方向防振装置３０を備える。横方向防振装置３０は、主として水槽１２の横方向の振動を吸収する。横方向防振装置３０の一端部３０Ａは、筐体１１の内面の下部に取り付けられている。筐体１１の内面に対する横方向防振装置３０の一端部３０Ａの取り付け位置は、筐体１１の上下方向の中央線よりも下方つまり筐体１１の下半部の何れかの位置、さらには、振動が発生しやすい脱水行程において回転槽１３内に存在する洗濯物の想定高さよりも下方の何れかの位置で設定するとよい。なお、洗濯機１０においては、横方向防振装置３０の一端部３０Ａは、筐体１１の底部を構成する台板１５の内側面に取り付けられている。
【００１５】
また、横方向防振装置３０の他端部３０Ｂは、水槽１２の外面の下部に取り付けられている。水槽１２の外面に対する横方向防振装置３０の他端部３０Ｂの取り付け位置は、水槽１２の上下方向の中央線よりも下方つまり水槽１２の下半部の何れかの位置、さらには、振動が発生しやすい脱水行程において回転槽１３内に存在する洗濯物の想定高さよりも下方の何れかの位置で設定するとよい。なお、脱水行程において回転槽１３内に存在する洗濯物の想定高さは、例えば、周知の重量センシングにより検出された回転槽１３内の洗濯物の重量に基づいて推定することができる。
【００１６】
横方向防振装置３０の一端部３０Ａは、筐体１１の内面に設けられている取付台３１に、ボルト３２により取り付けられている。取付台３１は、筐体１１の内面にねじ３３により固定されている。横方向防振装置３０は、ボルト３２を中心に上下方向に回動可能となっている。一方、横方向防振装置３０の他端部３０Ｂは、水槽１２の外面に設けられている取付台３４に、ボルト３５により取り付けられている。横方向防振装置３０は、ボルト３５を中心に上下方向に回動可能となっている。
【００１７】
図２に例示するように、横方向防振装置３０は、シリンダ４０およびシャフト４１を備えている。シリンダ４０は、磁性材で構成されており、一端部が閉塞部材４２により閉塞されている。閉塞部材４２には、外方に延びる円柱状のロッド部４２ａが設けられており、このロッド部４２ａには、貫通孔４２ｂが設けられている。横方向防振装置３０の一端部３０Ａは、この貫通孔４２ｂが、筐体１１側の取付台３１にボルト３２により回動可能に固定された構成となっている。
【００１８】
また、シリンダ４０は、他端部が保持部材４３により塞がれている。保持部材４３は、磁性材で構成されており、その中央部に、横方向防振装置３０の軸方向に沿う貫通部４３ａを有している。シャフト４１は、この貫通部４３ａに挿通されて、シリンダ４０に対し往復移動可能に設けられている。シャフト４１は、磁性材で構成されており、先端部に貫通孔４１ａを有している。横方向防振装置３０の他端部３０Ｂは、この貫通孔４１ａが、水槽１２側の取付台３４にボルト３５により回動可能に固定された構成となっている。また、シャフト４１の先端部には、ばね受け４４が固定されている。そして、シリンダ４０の保持部材４３とシャフト４１のばね受け４４との間には、ダンパスプリング４５が介在されている。
【００１９】
横方向防振装置３０は、移動しないシリンダ４０に対し、シャフト４１が移動する構成となっている。そして、横方向防振装置３０は、洗濯機１０において移動しない構成要素つまり筐体１１に、移動しないシリンダ４０が取り付けられ、洗濯機１０において振動により移動する構成要素つまり水槽１２に、移動するシャフト４１が取り付けられた構成となっている。なお、横方向防振装置３０は、筐体１１側にシャフト４１を取り付け、水槽１２側にシリンダ４０を取り付ける構成としてもよい。
【００２０】
シリンダ４０の内部において、保持部材４３には、軸受４６、図示しないオイルシール、ヨーク４７が保持されている。また、シリンダ４０の内部には、保持部材４３に対向して、ヨーク４８が備えられている。ヨーク４８には軸受４９が保持されている。シリンダ４０の内部において、シャフト４１は、保持部材４３の軸受４６およびヨーク４８の軸受４９に摺動可能に保持されている。軸受４６，４９は、例えば含油焼結メタルなどで構成されている。
【００２１】
ヨーク４７，４８は、それぞれ磁性材で構成されており、これらヨーク４７，４８の間には、ボビン５０が介在されている。ボビン５０の内部には、コイル５１が巻装されており、このコイル５１には、配線５２を介して電源が供給されるようになっている。
【００２２】
そして、シリンダ４０の内部において、シャフト４１とヨーク４７との間、シャフト４１とボビン５０との間、シャフト４１とヨーク４８との間に形成される空間には、磁気粘性流体５３が充填されている。この磁気粘性流体５３は、シャフト４１の往復移動に摩擦抵抗を付与するものである。コイル５１が通電されて電気的にオン状態にされると、シャフト４１、磁気粘性流体５３、ヨーク４８、シリンダ４０、保持部材４３、ヨーク４７、磁気粘性流体５３、シャフト４１を介する磁気回路が形成される。このような磁気回路が形成されることにより、磁気粘性流体５３のうち磁束が通過する部分、特に、シャフト４１とヨーク４７との間およびシャフト４１とヨーク４８との間において磁気粘性流体５３の粘性が高まる。これにより、シャフト４１に作用する摩擦抵抗が増加する。
【００２３】
横方向防振装置３０は、コイル５１が電気的にオフ状態である場合には、例えば、弾性支持機構部１７と同程度の減衰力により水槽１２の横方向の振動を吸収する。この場合の減衰力は、主としてダンパスプリング４５により発生するものである。また、横方向防振装置３０は、コイル５１が電気的にオン状態である場合には、例えば、弾性支持機構部１７よりも強い減衰力により水槽１２の横方向の振動を吸収する。この場合の減衰力は、ダンパスプリング４５に加え、さらに粘性が増加した磁気粘性流体５３により発生するものである。
【００２４】
以上に説明した横方向防振装置３０は、シャフト４１がシリンダ４０に対して移動するのに対し、少なくとも保持部材４３、ヨーク４７，４８、磁気粘性流体５３がシリンダ４０に対して移動しない構成となっている。即ち、横方向防振措置３０は、移動する構成要素に対し、移動しない構成要素により減衰力を与える構成となっている。
【００２５】
本実施形態に係る洗濯機１０によれば、横方向防振装置３０の一端部３０Ａは、筐体１１の下部に取り付けられている。この構成によれば、重量物である駆動機構部１９が設けられている水槽１２の下部を横方向防振装置３０により防振支持することができ、横方向防振装置３０の振動吸収機能を、振動が大きくなる傾向がある水槽１２の下部に効果的に作用させることができる。
【００２６】
さらに、洗濯機１０によれば、横方向防振装置３０の他端部３０Ｂは、水槽１２の下部に取り付けられている。この構成によれば、水槽１２の下部を横方向防振装置３０により確実に防振支持することができ、横方向防振装置３０の振動吸収機能を水槽１２の下部に一層効果的に作用させることができる。
【００２７】
なお、横方向防振装置３０の一端部３０Ａは、筐体１１の複数の側面のうち何れの側面に固定してもよいが、特に、筐体１１の後側の側面に取り付けることにより、取付台３１や当該取付台３１を固定するためのねじ３３を洗濯機１０の後側に隠すことができ、洗濯機１０全体としての外観やデザイン性が損なわれてしまうことを回避することができる。
【００２８】
また、洗濯機１０は、横方向防振装置３０の一端部３０Ａが取り付けられる筐体１１の側面の剛性を、他の側面、つまり、横方向防振装置３０が取り付けられない側面の剛性よりも高くした構成とするとよい。剛性を高くする手法としては、例えば、横方向防振装置３０が取り付けられる側面の板厚を他の側面の板厚よりも厚くする手法、横方向防振装置３０が取り付けられる側面のビードの数を他の側面のビードの数よりも多くする手法、横方向防振装置３０が取り付けられる側面のビードの深さを他の側面のビードの深さよりも深くする手法、などが考えられる。筐体１１の側面の剛性を高くする場合には、これらの手法を組み合わせて実施してもよいし、単独で実施してもよい。
【００２９】
（第２実施形態）
図３に例示する洗濯機１０は、横方向防振装置３０の他端部３０Ｂを水槽１２の底部に取り付ける構成例であり、この場合、横方向防振装置３０の他端部３０Ｂは、水槽１２の底部に備えられる支持部材６０に取り付けられている。支持部材６０は、例えば金属材料で構成される板状の部材であり、水槽１２の底部において当該水槽１２を下方から支持して補強する機能、水槽１２の底部において駆動機構部１９を支持して強固に固定する機能を有している。一方、横方向防振装置３０の一端部３０Ａは、筐体１１の底部を構成する台板１５の内面に取り付けられている。
【００３０】
本実施形態によっても、水槽１２の下部を横方向防振装置３０により防振支持することができ、横方向防振装置３０の振動吸収機能を、振動が大きくなる傾向がある水槽１２の下部に効果的に作用させることができる。
【００３１】
また、水槽１２や駆動機構部１９を支持するための支持部材６０を利用して横方向防振装置３０を取り付けることができ、支持部材６０を有効活用することができ、また、横方向防振装置３０を取り付けるための部材を新たに設ける必要がない。
【００３２】
また、横方向防振装置３０の一端部３０Ａは、筐体１１のうち比較的強度の高い台板１５に取り付けられている。これにより、水槽１２の底部を、より強固に防振支持することができる。
【００３３】
また、横方向防振装置３０の一端部３０Ａを、筐体１１の側面において水槽１２よりも低い位置に取り付けることにより、スペースが限られる筐体１１の内部において、より大型の横方向防振装置３０、つまり、より振動吸収機能の優れた横方向防振装置３０を無理なく設置することができ、水槽１２の下部を、より効果的に防振支持することができる。
【００３４】
なお、横方向防振装置３０の一端部３０Ａを筐体１１の側面において水槽１２よりも低い位置に取り付ける場合には、水槽１２が最下点まで沈み込んだ状態においても、横方向防振装置３０は、他端部３０Ｂが一端部３０Ａよりも高い位置または同じ高さ位置となるように設計するとよい。水槽１２が最下点まで沈み込んだ状態において、横方向防振装置３０の他端部３０Ｂが一端部３０Ａよりも低い位置になると、横方向防振装置３０が水槽１２の底部に接触するおそれがあるからである。
【００３５】
（第３実施形態）
図４に例示する洗濯機１０は、横方向防振装置３０の他端部３０Ｂを水槽１２の底部に取り付ける構成例であり、この場合、横方向防振装置３０の他端部３０Ｂは、水槽１２の底部に備えられる包装金具７０に取り付けられている。包装金具７０は、例えば金属材料で構成された部材であり、例えば洗濯機１０の工場出荷時など洗濯機１０の移動が必要である場合に、水槽１２を筐体１１に固定するために用いられる部材である。この場合、包装金具７０は、金属板を側面視にてコ字状をなすように形成したものであり、水槽１２を筐体１１に対して固定する用途に用いられ、主として樹脂材料で構成される水槽１２よりも高い剛性を備えている。包装金具７０は、水槽１２の下方において、水平方向に延びる水平部７０ａと、この水平部７０ａの両端部から上下方向に延びるアーム部７０ｂと、を有する。包装金具７０は、アーム部７０ｂが水槽１２の底面に例えばねじ止めされることにより、水槽１２の下部に取り付けられる。一方、横方向防振装置３０の一端部３０Ａは、筐体１１の底部を構成する台板１５の内面に取り付けられている。
【００３６】
本実施形態によっても、水槽１２の下部を横方向防振装置３０により防振支持することができ、横方向防振装置３０の振動吸収機能を、振動が大きくなる傾向がある水槽１２の下部に効果的に作用させることができる。
【００３７】
また、洗濯機１０の設置後において特に用途を有さない包装金具７０を利用して横方向防振装置３０を取り付けることができ、洗濯機１０の運搬時以外において基本的には不要な包装金具７０を有効活用することができ、また、横方向防振装置３０を取り付けるための部材を新たに設ける必要がない。
また、横方向防振装置３０の一端部３０Ａは、筐体１１のうち強度の高い台板１５に取り付けられているので、水槽１２の底部を、より強固に防振支持することができる。
【００３８】
（第４実施形態）
図５に例示する洗濯機１０は、横方向防振装置３０を、筐体１１内のコーナー部に配置した構成例である。この場合、横方向防振装置３０は、筐体１１内の４つのコーナー部１１ａ，１１ｂ，１１ｃ，１１ｄのうち、後側の２つのコーナー部１１ｃ，１１ｃにそれぞれ配置されている。回転槽１３は、第１回転方向Ｒ１および第２回転方向Ｒ２に回転可能に構成されている。そして、コーナー部１１ｃに配置されている横方向防振装置３０は、水槽１２の中心部からコーナー部１１ｃに向かう径方向Ｓ１に対し、回転槽１３の第１回転方向Ｒ１側に角度αだけ傾斜している。これにより、コーナー部１１ｃ内の横方向防振装置３０は、洗濯機１０の前後方向に沿って指向した状態となっている。即ち、コーナー部１１ｃ内の横方向防振装置３０は、回転槽１３の第１回転方向Ｒ１に抗する方向に指向している。
【００３９】
一方、コーナー部１１ｄに配置されている横方向防振装置３０は、水槽１２の中心部からコーナー部１１ｄに向かう径方向Ｓ２に対し、回転槽１３の第２回転方向Ｒ２側に角度βだけ傾斜している。これにより、コーナー部１１ｄ内の横方向防振装置３０は、洗濯機１０の前後方向に沿って指向した状態となっている。即ち、コーナー部１１ｄ内の横方向防振装置３０は、回転槽１３の第２回転方向Ｒ２に抗する方向に指向している。なお、角度αと角度βは、同じ角度であってもよいし、異なる角度であってもよい。
【００４０】
そして、これら２つの横方向防振装置３０は、共通の取付部材８０に取り付けられている。取付部材８０は、例えば金属材料により構成されており、洗濯機１０の横方向に延びるベース部８０ａと、このベース部８０ａの両端部から洗濯機１０の前方に向かって直線状に延びるアーム部８０ｂと、を備えている。２つの横方向防振装置３０の一端部３０Ａは、それぞれ取付部材８０のアーム部８０ｂに取り付けられている。また、取付部材８０のベース部８０ａは、筐体１１の一側面、この場合、後側の側面の内面にねじ８１により固定されている。
【００４１】
本実施形態によれば、筐体１１の内部において比較的スペースを確保しやすいコーナー部１１ｃ，１１ｄに横方向防振装置３０を配置することができ、横方向防振装置３０のための設置スペースを新たに確保する必要が無く、筐体１１の大型化、ひいては洗濯機１０の大型化を回避することができる。
【００４２】
また、水槽１２を大容量化したとしても、ほぼ円形の水槽１２に対し、ほぼ矩形の筐体１１のコーナー部にはスペースを確保しやすいため、水槽１２の大容量化を図りつつ、横方向防振装置３０を筐体１１内に無理なく設置することができる。
【００４３】
また、コーナー部１１ｃ内の横方向防振装置３０は、水槽１２の中心部からコーナー部１１ｃに向かう径方向Ｓ１に対し、回転槽１３の第１回転方向Ｒ１側に角度αだけ傾斜している。この構成によれば、回転槽１３が第１回転方向Ｒ１に回転する場合に、その回転力あるいはその回転力により発生する振動を、コーナー部１１ｃ内の横方向防振装置３０により効率良く吸収することができ、横方向防振装置３０の振動吸収機能を水槽１２に一層効果的に作用させることができる。
【００４４】
また、コーナー部１１ｄ内の横方向防振装置３０は、水槽１２の中心部からコーナー部１１ｄに向かう径方向Ｓ２に対し、回転槽１３の第２回転方向Ｒ２側に角度βだけ傾斜している。この構成によれば、回転槽１３が第２回転方向Ｒ２に回転する場合に、その回転力あるいはその回転力により発生する振動を、コーナー部１１ｄ内の横方向防振装置３０により効率良く吸収することができ、横方向防振装置３０の振動吸収機能を水槽１２に一層効果的に作用させることができる。
【００４５】
なお、洗濯機１０は、共通の取付部材８０ではなく、コーナー部１１ｃ内の横方向防振装置３０の一端部３０Ａおよびコーナー部１１ｄ内の横方向防振装置３０の一端部３０Ａを、それぞれ別個の取付部材を介して筐体１１の側面に取り付ける構成としてもよい。
【００４６】
また、洗濯機１０は、横方向防振装置３０を、例えば前側のコーナー部１１ａ，１１ｂに備える構成としてもよい。また、洗濯機１０は、筐体１１内の４つのコーナー部１１ａ〜１１ｄのうち少なくとも何れか１つに横方向防振装置３０を備える構成とすることができる。
【００４７】
（第５実施形態）
図６に例示する洗濯機１０は、横方向防振装置３０の他端部３０Ｂを、取付部材９０を介して水槽１２に接続した構成例である。取付部材９０は、例えば金属材料により構成されており、洗濯機の横方向に延びるベース部９０ａと、このベース部９０ａの両端部から洗濯機１０の前方に向かって直線状に延びるアーム部９０ｂと、を備えている。横方向防振装置３０の他端部３０Ｂは、ベース部９０ａの中心部に取り付けられている。そして、取付部材９０のアーム部９０ｂの先端部は、水槽１２の左右方向の両端部に接続されている。
【００４８】
本実施形態によれば、１つの横方向防振装置３０が発生する減衰力を水槽１２の複数箇所、この場合、水槽１２の左右の両端部に伝達させることができ、１つの横方向防振装置３０であっても、水槽１２の振動を効率良く吸収することができる。さらに、この場合、横方向防振装置３０が発生する減衰力は、水槽１２の左右の両端部に伝達されるので、水槽１２を左右から挟むようにして防振支持することができ、水槽１２の振動吸収を一層効果的に行うことができる。
【００４９】
（その他の実施形態）
本実施形態は、上述した複数の実施形態に限られるものではなく、例えば、次のように変形または拡張することができる。例えば、洗濯機は、上述した複数の実施形態を組み合わせた構成としてもよい。
【００５０】
また、横方向防振装置は、減衰力を調整可能な構成に限られず、例えば、減衰力を調整不能な構成、例えば、コイルスプリング、油圧式のダンパーなどで構成してもよい。また、横方向防振装置として、減衰力を調整可能な構成を採用する場合には、例えば、振動が発生しやすい脱水行程時に減衰力を増加させる、回転槽１３に投入されている洗濯物の重量が所定値以上である場合に減衰力を増加させる、回転槽１３内において洗濯物が偏るアンバランスが所定回数以上検知された場合に減衰力を増加させるなど、その減衰力を適宜の条件に応じて調整するとよい。
【００５１】
本実施形態に係る洗濯機によれば、水槽の横方向の振動を吸収する横方向防振装置の一端部は、筐体の下部に取り付けられている。この構成によれば、横方向防振装置の振動吸収機能を、振動が大きくなる傾向がある水槽の下部に効果的に作用させることができる。
【００５２】
なお、本実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００５３】
図面中、１０は洗濯機、１１は筐体、１２は水槽、１３は回転槽、１５は台板、１７は弾性支持機構部（縦方向防振装置）、３０は横方向防振装置、６０は支持部材、７０は包装金具を示す。
【図１】
2018126252.tif 000003
【図２】
2018126252.tif 000004
【図３】
2018126252.tif 000005
【図４】
2018126252.tif 000006
【図５】
2018126252.tif 000007
【図６】
2018126252.tif 000008